(57)【要約】【課題】ユーザの年齢に応じて、予め登録した処理を実行することに貢献し、操作回数を低減することに貢献すること。【解決手段】電子機器は、表示部と、表示部と同一方向を向くように配置され、表示部に相対する人物を撮影する撮影部と、撮影部が撮影する撮影画像内に、少なくとも一の対象年齢人物が含まれるか否かを判断する画像解析部と、アプリケーション、又はコンテンツの少なくともいずれかを登録処理として登録する処理登録部と、撮影画像内に、対象年齢人物が含まれる場合、登録処理として登録されたアプリケーション、又はコンテンツの少なくともいずれかを実行する登録処理モードに、動作モードを遷移する処理制御部と、を備える。【選択図】図１
2014206837.tif 000002
【特許請求の範囲】
【請求項１】
表示部と、
前記表示部と同一方向を向くように配置され、前記表示部に相対する人物を撮影する撮影部と、
前記撮影部が撮影する撮影画像内に、少なくとも一の対象年齢人物が含まれるか否かを判断する画像解析部と、
アプリケーション、又はコンテンツの少なくともいずれかを登録処理として登録する処理登録部と、
前記撮影画像内に、前記対象年齢人物が含まれる場合、前記登録処理として登録された前記アプリケーション、又は前記コンテンツの少なくともいずれかを実行する登録処理モードに、動作モードを遷移する処理制御部と、
を備えることを特徴とする電子機器。
【請求項２】
ユーザの操作を受け付ける操作部を備え、
前記処理制御部は、前記動作モードが前記登録処理モードである場合、前記操作部に対する操作を制限する請求項１に記載の電子機器。
【請求項３】
乳幼児の顔画像特徴量を乳幼児画像特徴量として記憶する記憶部を備え、
前記画像解析部は、前記乳幼児画像特徴量に基づいて、前記撮影画像内に、少なくとも一の乳幼児が含まれるか否かを判断する請求項１又は２に記載の電子機器。
【請求項４】
自機器の運動を検出する運動検出部を備え、
前記撮影部は、前記運動検出部が所定の運動を検出した場合、撮影を実行する請求項１乃至３のいずれか一に記載の電子機器。
【請求項５】
前記撮影部は、前記処理制御部が、前記操作部に対する操作を無効とする動作モードから、前記操作部に対する操作を有効とする動作モードに遷移させた場合、撮影を実行する請求項１乃至４のいずれか一に記載の電子機器。
【請求項６】
マイクと、
前記マイクに対して入力された音声信号から、所定の指定単語を検出する音声識別部と、を備え、
前記撮影部は、前記音声識別部が前記指定単語を検出した場合、撮影を実行する請求項１乃至５のいずれか一に記載の電子機器。
【請求項７】
表示部を備える電子機器の制御方法であって、
アプリケーション、又はコンテンツの少なくともいずれかを登録処理として登録する処理登録工程と、
前記表示部に相対する人物を撮影する撮影工程と、
撮影画像内に、少なくとも一の対象年齢人物が含まれるか否かを判断する画像解析工程と、
前記撮影画像内に、前記対象年齢人物が含まれる場合、前記登録処理として登録された前記アプリケーション、又は前記コンテンツの少なくともいずれかを実行する登録処理モードに、動作モードを遷移する処理制御工程と、
を含むことを特徴とする電子機器の制御方法。
【請求項８】
自機器の運動を検出する工程を含み、
前記撮影工程において、所定の運動が検出された場合、撮影を実行する請求項７に記載の電子機器の制御方法。
【請求項９】
表示部を備える電子機器を制御するコンピュータに実行させるプログラムであって、
アプリケーション、又はコンテンツの少なくともいずれかを登録処理として登録する処理登録処理と、
前記表示部に相対する人物を撮影する撮影処理と、
撮影画像内に、少なくとも一の対象年齢人物が含まれるか否かを判断する画像解析処理と、
前記撮影画像内に、前記対象年齢人物が含まれる場合、前記登録処理として登録された前記アプリケーション、又は前記コンテンツの少なくともいずれかを実行する登録処理モードに、動作モードを遷移する処理制御処理と、
を実行するプログラム。
【請求項１０】
自機器の運動を検出する処理を含み、
前記撮影処理において、所定の運動が検出された場合、撮影を実行する請求項９に記載のプログラム。
【発明の詳細な説明】
【技術分野】
【０００１】
本発明は、電子機器、その制御方法及びプログラムに関する。
【背景技術】
【０００２】
乳幼児をあやすための道具として、スマートフォン、タブレットＰＣ（Personal Computer）等が使用される場合がある。具体的には、保護者等は、スマートフォン等に乳幼児が好むアニメ画像、動画等のコンテンツを保存しておく。そして、乳幼児が泣き出した際に、保護者等は乳幼児が好むアニメ画像等を提示して、乳幼児をあやす場合がある。
【０００３】
そして、スマートフォン等が乳幼児の好むアニメ画像等を表示可能であることを、乳幼児が学習した場合、乳幼児は、スマートフォン等を操作しようと試みる場合がある。しかし、乳幼児がスマートフォン等を操作した結果、スマートフォン等の所有者（乳幼児の保護者等）が意図しないメール送信、電話発信等が行われる場合がある。
【０００４】
特許文献１、２においては、ユーザの顔を識別し、ユーザに応じて、電子機器の機能を制限する技術が開示されている。
【先行技術文献】
【特許文献】
【０００５】
【特許文献１】特開２０１０−２４６１３２号公報
【特許文献２】特開２００７―０６７７８２号公報
【発明の概要】
【発明が解決しようとする課題】
【０００６】
なお、上記先行技術文献の各開示を、本書に引用をもって繰り込むものとする。以下の分析は、本発明の観点からなされたものである。
【０００７】
上述の通り、乳幼児をあやすための道具として、保護者等がスマートフォン等を使用する場合がある。ここで、保護者等は、乳幼児が泣き出した場合に、即座に乳幼児をあやしたいと考える場合が多い。
【０００８】
しかし、スマートフォン等において、画像等を選択し、再生する操作は煩雑である場合がある。具体的には、画像等を再生する場合、まず、スマートフォン等の所有者（乳幼児の保護者等）は、画像が保存されたフォルダを選択する操作を行う必要がある。そして、スマートフォン等の所有者は画像を選択する操作を行う必要がある。そして、スマートフォン等の所有者は画像を再生する操作を行う必要がある。
【０００９】
特許文献１、２に開示された技術では、ユーザに応じて、機能を制限する。しかし、特許文献１、２で開示された技術では、容易に、ユーザが所望する操作を実行できない。つまり、特許文献１、２で開示された技術では、画像等を再生する場合、ユーザは上述の通り、煩雑な操作を行う必要がある。
【００１０】
そこで、本発明は、ユーザの年齢に応じて、予め登録した処理を実行することに貢献し、操作回数を低減することに貢献する電子機器、その制御方法及びプログラムを提供することを目的とする。
【課題を解決するための手段】
【００１１】
本発明の第１の視点によれば、表示部と、アプリケーション、又はコンテンツの少なくともいずれかを登録処理として登録する処理登録部と、前記表示部と同一方向を向くように配置され、前記表示部に相対する人物を撮影する撮影部と、前記撮影部が撮影する撮影画像内に、少なくとも一の対象年齢人物が含まれるか否かを判断する画像解析部と、前記撮影画像内に、前記対象年齢人物が含まれる場合、前記登録処理として登録された前記アプリケーション、又は前記コンテンツの少なくともいずれかを実行する登録処理モードに、動作モードを遷移する処理制御部と、を備える電子機器が提供される。
【００１２】
本発明の第２の視点によれば、表示部を備える電子機器の制御方法であって、アプリケーション、又はコンテンツの少なくともいずれかを登録処理として登録する処理登録工程と、前記表示部に相対する人物を撮影する撮影工程と、撮影画像内に、少なくとも一の対象年齢人物が含まれるか否かを判断する画像解析工程と、前記撮影画像内に、前記対象年齢人物が含まれる場合、前記登録処理として登録された前記アプリケーション、又は前記コンテンツの少なくともいずれかを実行する登録処理モードに、動作モードを遷移する処理制御工程と、を含む電子機器の制御方法が提供される。
なお、本方法は、アプリケーション、又はコンテンツを表示する電子機器という、特定の機械に結び付けられている。
【００１３】
本発明の第３の視点によれば、表示部を備える電子機器を制御するコンピュータに実行させるプログラムであって、アプリケーション、又はコンテンツの少なくともいずれかを登録処理として登録する処理登録処理と、前記表示部に相対する人物を撮影する撮影処理と、撮影画像内に、少なくとも一の対象年齢人物が含まれるか否かを判断する画像解析処理と、前記撮影画像内に、前記対象年齢人物が含まれる場合、前記登録処理として登録された前記アプリケーション、又は前記コンテンツの少なくともいずれかを実行する登録処理モードに、動作モードを遷移する処理制御処理と、を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１４】
本発明の各視点によれば、ユーザの年齢に応じて、予め登録した処理を実行することに貢献し、操作回数を低減することに貢献する電子機器、その制御方法及びプログラムが提供される。
【図面の簡単な説明】
【００１５】
【図１】一実施形態の概要を説明するための図である。
【図２】第１の実施形態に係る電子機器１の全体構成の一例を示す図である。
【図３】第１の実施形態に係る電子機器１の内部構成の一例を示すブロック図である。
【図４】乳幼児モードに遷移する処理の一例を示すフローチャートである。
【図５】静止画、及び動画を登録する処理の一例を示すフローチャートである。
【図６】音楽、及びアプリケーションを登録する処理を示すフローチャートである。
【図７】乳幼児モードにおいて実行する処理を選択する処理の一例を示すフローチャートである。
【図８】静止画表示処理の一例を示すフローチャートである。
【図９】動画再生処理の一例を示すフローチャートである。
【図１０】音楽再生処理の一例を示すフローチャートである。
【図１１】第２の実施形態に係る電子機器１ａの内部構成の一例を示すブロック図である。
【図１２】第２の実施形態に係る電子機器１ａの動作の一例を示すフローチャートである。
【発明を実施するための形態】
【００１６】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１７】
上述の通り、ユーザの年齢に応じて、予め登録した処理を実行することに貢献し、操作回数を低減することに貢献する電子機器が望まれる。
【００１８】
そこで、一例として、図１に示す電子機器１００を提供する。電子機器１００は、表示部１０１と、処理登録部１０２と、撮影部１０３と、画像解析部１０４と、処理制御部１０５と、を備える。
【００１９】
処理登録部１０２は、アプリケーション、又はコンテンツの少なくともいずれかを登録処理として登録する。
【００２０】
撮影部１０３は、表示部１０１と同一方向を向くように配置され、表示部１０１に相対する人物を撮影する。
【００２１】
画像解析部１０４は、撮影部１０３が撮影する撮影画像内に、少なくとも一の対象年齢人物が含まれるか否かを判断する。ここで、対象年齢人物とは、所定の範囲内の年齢であると推定される人物を意味する。具体的には、画像解析部１０４は、撮影画像を解析し、所定の範囲内の年齢であると推定される人物が、撮影画像内に含まれるか否かを判断する。
【００２２】
処理制御部１０５は、撮影画像内に、対象年齢人物が含まれる場合、登録処理として登録されたアプリケーション、又はコンテンツの少なくともいずれかを実行する登録処理モードに、動作モードを遷移する。
【００２３】
つまり、電子機器１００は、電子機器１００のユーザが所定の範囲内の年齢であると推定される場合、予め登録した登録処理を実行する。その際、電子機器１００は、登録処理を実行するために、特別の操作をユーザに要求しない。従って、電子機器１００は、ユーザの年齢に応じて、予め登録した処理を実行することに貢献し、操作回数を低減することに貢献する。
【００２４】
［第１の実施形態］
第１の実施形態について、図面を用いてより詳細に説明する。
【００２５】
図２は、本実施形態に係る電子機器１の全体構成の一例を示す図である。電子機器１は、表示部２と、操作部３と、撮影部４と、を含んで構成される。なお、図２は、本実施形態に係る電子機器１を、図２で示す形態に限定する趣旨ではない。電子機器１は、撮影部４を備え、１又は２以上の処理を実行する機器であれば、その詳細は問わない。例えば、電子機器１は、スマートフォン、携帯電話、ゲーム機、タブレットＰＣ、ノートＰＣ、ＰＤＡ（Personal Data Assistants；携帯情報端末）等の機器であっても良い。
【００２６】
表示部２は、アプリケーション、コンテンツ等の画像を表示する。表示部２は、液晶パネル、有機ＥＬ（Electro Luminescence）パネル等であっても良い。
【００２７】
操作部３は、ユーザの操作を受け付ける。例えば、操作部３は、電子機器１に対するユーザの操作を受け付ける操作キー等である。または、操作部３は、タッチパネル（図示せず）であっても良い。操作部３は、表示部２と一体化したタッチパネルであっても良い。そして、電子機器１は、表示部２に表示されるアイコン等に対する操作を、操作部３に対する操作としても良い。なお、タッチパネルの構成、入力検出方法等は各種あるが、その詳細は問わない。
【００２８】
撮影部４は、表示部２と同一方向を向くように配置される。そして、撮影部４は、表示部２と相対する人物を撮影し、撮影画像を取得する。撮影部４は、電子機器１のインカメラとしての機能を持つものでも良い。
【００２９】
図３は、電子機器１の内部構成の一例を示すブロック図である。電子機器１は、表示部２と、操作部３と、撮影部４と、記憶部５と、運動検出部６と、制御部７と、を含んで構成される。制御部７は、画像解析部７１と、処理登録部７２と、処理制御部７３と、を含んで構成される。図３は、簡単のため、本実施形態に関係するモジュールを主に記載する。なお、表示部２、操作部３は上述の通りであるため、更なる説明を省略する。
【００３０】
記憶部５は、電子機器１の動作に必要な情報を記憶する。具体的には、記憶部５は、電子機器１を動作させるためのコンピュータプログラムを記憶することが好ましい。また、記憶部５は、静止画、動画、音楽等のコンテンツを記憶しても良い。記憶部５は、メモリーカード等の外部記憶媒体でもよい。なお、外部記憶媒体は、各種あるが、その種別は問わない。
【００３１】
運動検出部６は、自機器の運動を検出する。具体的には、運動検出部６は、電子機器１の運動によって変化する物理量を検出する。そのため、運動検出部６は、加速度センサ、角速度センサ等のセンサを含むことが好ましい。
【００３２】
制御部７は、電子機器１の全体を制御すると共に、図３に示す各部を制御する。制御部７は、電子機器１に搭載されたコンピュータに、そのハードウェアを用いて、電子機器１の処理を実行させるコンピュータプログラムにより実現することもできる。
【００３３】
画像解析部７１は、撮影部４が撮影する撮影画像内に、少なくとも一の対象年齢人物が含まれるか否かを判断する。
【００３４】
そこで、記憶部５が、予め対象年齢人物の顔画像から得られる特徴量を記憶しておくことが好ましい。例えば、記憶部５は、固有顔、ニューラルネットワーク、サポートベクタマシン（ＳＶＭ、Support Vector Machine）等の手法を用いて抽出された顔画像特徴量を記憶しても良い。ここで、顔画像特徴量を抽出する方法は各種あるが、その詳細は問わない。
【００３５】
画像解析部７１は、撮影画像と、記憶部５が記憶する顔画像特徴量と、を照合する。そして、画像解析部７１は、照合結果に基づいて、撮影画像内に、少なくとも一の対象年齢人物が含まれるか否かを判断する。
【００３６】
例えば、乳幼児を対象年齢人物とする場合を考える。その場合、記憶部５は、乳幼児の顔画像に基づいて抽出された顔画像特徴量を、特徴量（以下、乳幼児画像特徴量と呼ぶ）として記憶する。そして、画像解析部７１は、乳幼児画像特徴量に基づいて、撮影画像内に少なくとも一の乳幼児が含まれるか否かを判断する。
【００３７】
処理登録部７２は、アプリケーション、又はコンテンツの少なくともいずれかを登録する。処理登録部７２は、ユーザの操作に基づいて、アプリケーション等を登録しても良い。その場合、制御部７は、登録処理の設定登録画面を表示部２に表示させることが好ましい。そして、処理登録部７２は、設定登録画面において選択されたアプリケーション、コンテンツ等を、登録処理として登録することが好ましい。なお、以下の説明では、処理登録部７２が登録するアプリケーションを、登録アプリケーションと呼ぶ。また、処理登録部７２が登録するコンテンツを登録コンテンツと呼ぶ。
【００３８】
また、処理登録部７２は、１又は２以上の登録コンテンツの再生回数を登録しても良い。その場合、処理登録部７２は、ユーザの操作に基づいて、登録コンテンツの再生回数を登録しても良い。なお、記憶部５は、登録コンテンツのファイル名、登録コンテンツの再生時間、登録コンテンツの再生回数等を対応付けて記憶することが好ましい。
【００３９】
処理制御部７３は、撮影画像内に、対象年齢人物が含まれる場合、登録処理として登録されたアプリケーション、又はコンテンツの少なくともいずれかを実行する登録処理モードに、動作モードを遷移する。また、処理制御部７３は、動作モードが登録処理モードである場合、１又は２以上の登録コンテンツを、登録された再生回数、表示部２に表示させる。
【００４０】
例えば、対象年齢人物が乳幼児である場合を考える。その場合、電子機器１の所有者（乳幼児の保護者等）は、乳幼児が好むアニメ動画等を、設定登録画面を用いて選択する。そして、処理登録部７２は、選択されたアニメ動画等を、登録コンテンツとして設定する。そして、処理制御部７３は、動作モードを登録処理モードに遷移した場合、登録コンテンツ等を登録された再生回数、再生する。その結果、保護者等は、電子機器１を用いて、容易に、乳幼児等の関心を引くことができる。なぜなら、本実施形態に係る電子機器１においては、保護者等は、乳幼児に見せるために、毎回、コンテンツを選択、再生しなくても良いからである。
【００４１】
また、処理制御部７３は、動作モードが登録処理モードである場合、操作部３に対する操作を制限しても良い。例えば、対象年齢人物が乳幼児である場合を考える。その場合、乳幼児が電子機器１を操作できないように、処理制御部７３は登録処理モードにおいては、操作部３に対する操作を無効にしても良い。例えば、処理制御部７３が通信部（図示せず）を備える場合を考える。その場合、動作モードが登録処理モードである場合、処理制御部７３は発信制限を行っても良い。その結果、乳幼児が電子機器１を操作し、スマートフォン等の所有者（乳幼児の保護者等）が意図しないメール送信、電話発信等を行うことを防止できる。
【００４２】
なお、運動検出部６が所定の運動を検出した場合、画像解析部７１は、撮影画像を解析しても良い。具体的には、撮影部４は、運動検出部６が所定の運動を検出した場合、撮影を実行する。例えば、電子機器１が持ち上げられる運動を検出した場合、撮影部４は、撮影を実行しても良い。そして、その場合、画像解析部７１は、撮影画像を解析することが好ましい。
【００４３】
また、処理制御部７３が、操作部３に対する操作を無効とする動作モード（以下、操作無効モードと呼ぶ）から、操作部３に対する操作を有効とする動作モード（操作有効モード）に遷移させた場合、画像解析部７１は、撮影画像を解析することが好ましい。具体的には、撮影部４は、処理制御部７３が操作無効モードから操作有効モードに遷移させた場合、撮影を実行する。そして、その場合、画像解析部７１は、撮影画像を解析することが好ましい。
【００４４】
例えば、処理制御部７３が、電子機器１の電源がＯＦＦからＯＮとなった場合、動作無効モードから動作有効モードに、動作モードを遷移しても良い。そして、撮影部４は、電子機器１の電源がＯＮとなった場合、撮影を実行しても良い。
【００４５】
または、処理制御部７３は、スリープモードから復帰する操作を、操作部３が検出した場合、動作有効モードに動作モードを遷移しても良い。なお、スリープモードとは、操作部３に対する操作を制限し、表示部２を消灯した動作モードを意味する。
【００４６】
次に、電子機器１の動作について説明する。なお、以下の説明では、対象年齢人物を乳幼児として説明する。また、以下の説明では、上記の登録処理モードを乳幼児モードと呼ぶ。また、以下の説明では、電子機器１が持ち上げられたことを、運動検出部６が検出した場合、撮影部４は撮影を実行する、として説明する。
【００４７】
図４は、乳幼児モードに遷移する処理の一例を示すフローチャートである。
【００４８】
まず、電子機器１の動作モードは、通常の動作モードであるとする。通常の動作モードとは、操作有効モードであり、ユーザは、表示部２に表示されるアイコン等を選択可能な動作モードである。そして、通常の動作モードにおいては、制御部７は、操作部３に対するユーザの操作に基づいて、アプリケーション等を実行する。
【００４９】
ステップＳ１において、電子機器１が持ち上げられたことを検出したか否かを、運動検出部６は判断する。電子機器１が持ち上げられたことを、運動検出部６が検出した場合（ステップＳ１のＹｅｓ分岐）には、ステップＳ２に遷移する。一方、電子機器１が持ち上げられたことを、運動検出部６が検出しない場合（ステップＳ１のＮｏ分岐）には、ステップＳ１の判断を繰り返す。
【００５０】
ステップＳ２において、制御部７は、撮影部４を起動する。そして、ステップＳ３において、撮影部４は、撮影画像を取得する。そして、画像解析部７１は、撮影画像を解析する。具体的には、画像解析部７１は、撮影画像から、乳幼児画像特徴量等の特徴量を抽出する。
【００５１】
ステップＳ５において、撮影画像に人物が含まれるか否かを、画像解析部７１は判断する。例えば、記憶部５は、目、鼻、口等のテンプレート画像を記憶しても良い。そして、画像解析部７１は、記憶部５が記憶する目、鼻、口等のテンプレート画像と、撮影画像と、を照合する。そして、画像解析部７１は照合結果が所定の閾値を超える場合、撮影画像に人物を含むと判断しても良い。または、記憶部５は、肌色の色モデルを記憶しても良い。そして、画像解析部７１は、記憶部５が記憶する肌色の色モデルと、撮影画像と、を照合しても良い。なお、撮影画像内に人物を含むか否かを判断する方法は各種あるが、その詳細は問わない。
【００５２】
撮影画像に人物が含まれる場合（ステップＳ５のＹｅｓ分岐）には、ステップＳ６に遷移する。撮影画像に人物が含まれない場合（ステップＳ５のＮｏ分岐）には、ステップＳ１に戻り、処理を継続する。
【００５３】
ステップＳ６において、撮影画像内に、少なくとも一の乳幼児が含まれるか否かを、画像解析部７１は判断する。撮影画像内に、少なくとも一の乳幼児が含まれる場合（ステップＳ６のＹｅｓ分岐）には、処理制御部７３は、動作モードを乳幼児モードに遷移する（ステップＳ７）。そして、図７に示すステップＳ２０１に遷移する。一方、撮影画像内に、少なくとも一の乳幼児が含まれない場合（ステップＳ６のＮｏ分岐）には、ステップＳ１に戻り、処理を継続する。
【００５４】
次に、アプリケーション、コンテンツ等の登録について説明する。
【００５５】
図５は、静止画、及び動画を登録する処理の一例を示すフローチャートである。
【００５６】
ステップＳ１０１において、乳幼児モードにおいて、処理制御部７３が静止画を再生する設定とするか否かを、処理登録部７２は判断する。例えば、乳幼児モードにおいて、処理制御部７３が静止画を再生する設定とするか否かを、処理登録部７２は、ユーザの操作に基づいて判断しても良い。乳幼児モードにおいて、処理制御部７３が静止画を再生する設定とする場合（ステップＳ１０１のＹｅｓ分岐）には、ステップＳ１０２に遷移する。乳幼児モードにおいて、処理制御部７３が静止画を再生しない設定とする場合（ステップＳ１０１のＮｏ分岐）には、ステップＳ１１１に遷移する。
【００５７】
まず、処理制御部７３が静止画を表示する設定とする場合（ステップＳ１０１のＹｅｓ分岐）について説明する。
【００５８】
ステップＳ１０２において、処理登録部７２は、乳幼児モードの処理を制御するためのフラグ（以下、モードフラグと呼ぶ）を、静止画表示に設定する。そして、処理登録部７２は、モードフラグを記憶部５に記憶させる。そして、ステップＳ１０３に遷移する。
【００５９】
ステップＳ１０３において、乳幼児モードにおいて、処理制御部７３が静止画を一枚表示するか否かを、処理登録部７２は判断する。例えば、乳幼児モードにおいて、処理制御部７３が静止画の表示枚数を、処理登録部７２は、ユーザの操作に基づいて判断しても良い。処理制御部７３が静止画を一枚表示する場合（ステップＳ１０３のＹｅｓ分岐）には、ステップＳ１０４に遷移する。一方、処理制御部７３が静止画を２枚以上表示する場合（ステップＳ１０３のＮｏ分岐）には、ステップＳ１０６に遷移する。
【００６０】
処理制御部７３が静止画を一枚表示する場合（ステップＳ１０３のＹｅｓ分岐）には、処理登録部７２は、静止画を切り替えて表示するフラグ（以下、スライドフラグと呼ぶ）をＯＦＦに設定する（ステップＳ１０４）。そして、処理登録部７２は、スライドフラグを記憶部５に記憶させる。つまり、この場合、処理制御部７３は、乳幼児モードにおいて、静止画を切り替えず、一枚の静止画を表示する。
【００６１】
そして、ステップＳ１０５において、処理登録部７２は、表示する画像を設定する。そして、ステップＳ１１０に遷移する。ここで、処理登録部７２は、ユーザの操作に基づいて、表示する画像を設定しても良い。例えば、制御部７は、記憶部５が記憶する画像の一覧を表示部２に表示する。そして、ユーザは、表示部２に表示された画像の一覧から、乳幼児モードにおいて表示する画像を選択する。そして、処理登録部７２は、選択された画像を、登録コンテンツとして設定しても良い。
【００６２】
一方、処理制御部７３が静止画を２枚以上表示する場合（ステップＳ１０３のＮｏ分岐）には、処理登録部７２は、スライドフラグをＯＮに設定する（ステップＳ１０６）。そして、処理登録部７２は、スライドフラグを記憶部５に記憶させる。そして、ステップＳ１０７において、処理登録部７２は、表示する画像を設定する。そして、ステップＳ１０８に遷移する。
【００６３】
ステップＳ１０８において、予め設定した表示枚数分の設定を完了したか否かを、処理登録部７２は判断する。表示枚数分の設定を完了した場合（ステップＳ１０８のＹｅｓ分岐）には、処理登録部７２は、表示間隔時間を設定する（ステップＳ１０９）。そして、ステップＳ１１０に遷移する。
【００６４】
ステップＳ１１０において、処理登録部７２は、乳幼児モードの動作時間を設定する。ここで、処理登録部７２は、登録コンテンツとして設定した、静止画のファイル名、スライドフラグ、表示枚数、表示間隔時間、乳幼児モードの動作時間等の情報を、対応付けて記憶部５に記憶させることが好ましい。
【００６５】
次に、処理制御部７３が動画を再生する設定とする場合について説明する。
【００６６】
ここで、処理制御部７３が静止画を再生しない設定とする場合（ステップＳ１０１のＮｏ分岐）であるとする。その場合、ステップＳ１１１において、乳幼児モードにおいて、処理制御部７３が動画を再生する設定とするか否かを、処理登録部７２は判断する。例えば、乳幼児モードにおいて、処理制御部７３が動画を再生する設定とするか否かを、処理登録部７２は、ユーザの操作に基づいて判断しても良い。乳幼児モードにおいて、処理制御部７３が動画を再生する設定とする場合（ステップＳ１１１のＹｅｓ分岐）には、ステップＳ１１２に遷移する。一方、乳幼児モードにおいて、処理制御部７３が動画を再生する設定としない場合（ステップＳ１１１のＮｏ分岐）には、図６に示すステップＳ１３１に遷移する。
【００６７】
ステップＳ１１２において、処理登録部７２は、モードフラグを動画再生に設定する。ステップＳ１１３において、乳幼児モードにおいて、処理制御部７３が動画を一回再生するか否かを、処理登録部７２は判断する。処理制御部７３が動画を一回再生する場合（ステップＳ１１３のＹｅｓ分岐）には、ステップＳ１１４に遷移する。一方、処理制御部７３が、動画を２回以上再生する場合（ステップＳ１１３のＮｏ分岐）には、ステップＳ１１６に遷移する。
【００６８】
ステップＳ１１４において、処理登録部７２は、動画等を連続再生するフラグ（以下、連続再生フラグと呼ぶ）をＯＦＦに設定する。つまり、その場合、処理制御部７３は、一つの動画を再生した後、動画の再生を終了する。
【００６９】
そして、ステップＳ１１５において、処理登録部７２は再生する動画を選択する。そして、ステップＳ１１０に遷移する。ここで、処理登録部７２は、ユーザの操作に基づいて、再生する動画を設定しても良い。例えば、処理登録部７２は、記憶部５が記憶する動画の一覧等を表示部２に表示する。そして、ユーザは、表示部２に表示された動画の一覧から、乳幼児モードにおいて再生する動画を選択する。そして、処理登録部７２は、選択された動画を、登録コンテンツとして、設定する。
【００７０】
一方、処理制御部７３が、動画を２回以上再生する場合（ステップＳ１１３のＮｏ分岐）には、処理登録部７２は、連続再生フラグをＯＮに設定する（ステップ１１６）。そして、処理登録部７２は、連続再生フラグを記憶部５に記憶させる。そして、ステップＳ１１７において、処理登録部７２は再生回数を設定する。そして、ステップＳ１１８において、処理登録部７２は再生する動画を選択する。そして、ステップＳ１１９に遷移する。
【００７１】
ステップＳ１１９において、設定された再生回数分の動画の設定を完了したか否かを、処理登録部７２は判断する。設定された再生回数分の動画の設定を完了した場合（ステップＳ１１９のＹｅｓ分岐）には、ステップＳ１１０に遷移する。一方、設定された再生回数分の動画の設定を完了していない場合（ステップＳ１１９のＮｏ分岐）には、ステップＳ１１８に戻り、処理を継続する。なお、処理登録部７２は、設定された再生回数分、同一の動画を再生するように設定しても良い。なお、その場合、電子機器１はステップＳ１１９に係る処理は行わない。
【００７２】
次に、音楽、及びアプリケーションを登録する場合について説明する。
【００７３】
図６は、音楽、及びアプリケーションを登録する処理を示すフローチャートである。
【００７４】
図６に示すステップＳ１３１〜ステップＳ１３９に係る処理は、登録コンテンツとして、音楽を登録する処理を示すフローチャートである。ここで、図６に示すステップＳ１３１〜ステップＳ１３９に係る処理は、登録するコンテンツの差異を除いて、図５に示すステップＳ１１１〜ステップ１１９に係る処理と同一である。そのため、詳細な説明は省略する。
【００７５】
次に、アプリケーションを登録する場合について説明する。
【００７６】
ステップＳ１４１において、乳幼児モードにおいて、処理制御部７３が、所定のアプリケーションを起動するか否かを、処理登録部７２は判断する。乳幼児モードにおいて、処理制御部７３がアプリケーションを起動する場合（ステップＳ１４１のＹｅｓ分岐）には、ステップＳ１４２に遷移する。一方、乳幼児モードにおいて、処理制御部７３が、所定のアプリケーションを起動しない場合（ステップＳ１４１のＮｏ分岐）には、ステップＳ１４４に遷移する。
【００７７】
処理制御部７３がアプリケーションを起動する場合（ステップＳ１４１のＹｅｓ分岐）には、処理登録部７２は、モードフラグをアプリケーション起動に設定する（ステップＳ１４２）。そして、ステップＳ１４３において、処理登録部７２は、登録アプリケーションを設定する。そして、図５に示すステップＳ１１０に遷移する。
【００７８】
一方、処理制御部７３がアプリケーションを起動しない場合（ステップＳ１４１のＹｅｓ分岐）には、処理登録部７２は、モードフラグをＯＦＦに設定する（ステップＳ１４４）。そして、図５に示すステップＳ１１０に遷移する。なお、処理登録部７２がモードフラグをＯＦＦに設定した場合、処理制御部７３は乳幼児モードへの遷移を中止する。そのため、撮影画像に乳幼児が含まれる場合であっても、処理制御部７３は、通常の動作モードを継続する。
【００７９】
次に、乳幼児モードにおける処理について説明する。
【００８０】
図７は、乳幼児モードにおいて実行する処理を選択する処理の一例を示すフローチャートである。
【００８１】
ここで、処理制御部７３は、動作モードを乳幼児モードに遷移した（図４に示すステップＳ７）とする。その場合、ステップＳ２０１において、処理制御部７３は操作制限を設定する。電子機器１が通信部を備える場合、処理制御部７３は発信制限をしても良い。
【００８２】
ステップＳ２０２において、モードフラグに応じて、処理が設定されているか否かを、処理制御部７３は判断する。モードフラグに応じて、処理が設定されている場合（ステップＳ２０２のＹｅｓ分岐）には、ステップＳ２０３〜ステップＳ２０６のいずれかに遷移する。一方、モードフラグに応じて、処理が設定されていない場合（ステップＳ２０２のＮｏ分岐）には、乳幼児モードを終了する。
【００８３】
処理登録部７２がモードフラグを静止画表示に設定した場合、処理制御部７３は、静止画表示処理を実行開始する（ステップＳ２０３）。そして、図８に示すステップＳ３０１に遷移する。
【００８４】
処理登録部７２がモードフラグを動画再生に設定した場合、処理制御部７３は動画再生処理を実行開始する（ステップＳ２０４）。そして、図９に示すステップＳ４０１に遷移する。
【００８５】
処理登録部７２がモードフラグを音楽再生に設定した場合、処理制御部７３は音楽再生処理を実行開始する（ステップＳ２０５）。そして、図１０に示すステップＳ５０１に遷移する。
【００８６】
処理登録部７２がモードフラグをアプリケーション起動に設定した場合、処理制御部７３は、登録アプリケーションを起動する（ステップＳ２０６）。そして、図８に示すステップＳ３０６に遷移する。
【００８７】
図８は、静止画表示処理の一例を示すフローチャートである。
【００８８】
ステップＳ３０１において、スライドフラグがＯＮであるか否かを、処理制御部７３は判断する。スライドフラグがＯＮの場合（ステップＳ３０１のＹｅｓ分岐）には、処理制御部７３は、登録された静止画を表示する（ステップＳ３０２）。そして、ステップＳ３０４に遷移する。一方、スライドフラグがＯＦＦの場合（ステップＳ３０１のＮｏ分岐）には、処理制御部７３は登録された静止画を表示する（ステップＳ３０３）。そして、ステップＳ３０６に遷移する。
【００８９】
ステップ３０４において、予め設定した表示間隔時間を経過したか否かを、処理制御部７３は判断する。予め設定した表示間隔時間を経過した場合（ステップＳ３０４のＹｅｓ分岐）には、ステップＳ３０５に遷移する。一方、予め設定した表示間隔時間を経過していない場合（ステップＳ３０４のＮｏ分岐）には、ステップＳ３０２に遷移し、処理制御部７３は静止画の表示を継続する。
【００９０】
ステップＳ３０５において、予め設定した登録枚数分の静止画の表示を完了したか否かを、処理制御部７３は判断する。処理制御部７３が予め設定した登録枚数分の表示を完了した場合（ステップＳ３０５のＹｅｓ分岐）には、ステップＳ３０６に遷移する。一方、処理制御部７３が予め設定した登録枚数分の表示を完了していない場合（ステップＳ３０５のＮｏ分岐）には、処理制御部７３は表示画像を切り替える。そして、ステップＳ３０２に戻り、処理制御部７３は、静止画の表示処理を継続する。
【００９１】
ステップＳ３０６において、乳幼児モードの動作時間が経過したか否かを、処理制御部７３は判断する。乳幼児モードの動作時間が経過した場合（ステップＳ３０６のＹｅｓ分岐）には、乳幼児モードにおける処理を終了する。具体的には、処理制御部７３は、乳幼児モードから通常の動作モードに、動作モードを遷移する。そのため、電子機器１のユーザは、乳幼児モードと、通常の動作モードと、を切り替えるために、操作を行う必要がない。
【００９２】
図９は、動画再生処理の一例を示すフローチャートである。
【００９３】
ステップＳ４０１において、連続再生フラグがＯＮであるか否かを、処理制御部７３は判断する。連続再生フラグがＯＮである場合（ステップＳ４０１のＹｅｓ分岐）には、処理制御部７３は登録された動画を再生する（ステップＳ４０２）。そして、ステップＳ４０４に遷移する。一方、連続再生フラグがＯＦＦである場合（ステップＳ４０１のＮｏ分岐）には、処理制御部７３は、登録された動画を再生する（ステップＳ４０３）。そして、図８に示すステップＳ３０６に遷移する。
【００９４】
ステップＳ４０４において、予め設定した再生回数分の動画の再生を完了したか否かを、処理制御部７３は判断する。処理制御部７３が、予め設定した再生回数分の動画の再生を完了した場合（ステップＳ４０４のＹｅｓ分岐）には、図８に示すステップＳ３０６に遷移する。一方、処理制御部７３が、予め設定した再生回数分の動画の再生を完了していない場合（ステップＳ４０４のＮｏ分岐）には、再生する動画を切り替える。そして、ステップＳ４０２に戻り、動画の再生処理を継続する。
【００９５】
図１０は、音楽再生処理の一例を示すフローチャートである。図１０に示すステップ５０１〜ステップＳ５０４に係る処理は、再生するコンテンツの種類の差異を除いて、図９に示すステップＳ４０１〜４０４に係る処理と同一であるため、詳細な説明を省略する。
【００９６】
以上のように、本実施形態に係る電子機器１は、所定の対象年齢の人物を認識した場合、予め登録した処理を実行する登録処理モードに遷移する。そのため、保護者等が乳幼児に表示部２を提示した場合、電子機器１は登録した動画等を自動的に再生できる。そのため、保護者等が電子機器１を用いて乳幼児をあやす場合、保護者等は、毎回、乳幼児に提示する動画等を選択し、再生する必要がない。
【００９７】
また、本実施形態に係る電子機器１は、所定の対象年齢の人物を認識した場合、操作を制限する。そのため、乳幼児が電子機器１を操作しようとした場合、乳幼児が操作できないように、電子機器１は操作を制限することができる。
【００９８】
また、本実施形態に係る電子機器１は、表示部２に相対する人物の顔画像を取得し、所定の対象年齢の人物であるか否かを判断する。そのため、本実施形態に係る電子機器１においては、登録処理モードと、通常の動作モードと、を切り替えるために、ユーザは操作を行う必要がない。そのため、ユーザが電子機器１を用いて、乳幼児をあやす場合、ユーザは乳幼児に表示部２を提示すれば良い。また、ユーザが乳幼児をあやし終わった場合、特別な操作を行わず、ユーザは、通常の動作モードとして、電子機器１を使用できる。従って、本実施形態に係る電子機器１は、ユーザの年齢に応じて、予め登録した処理を実行することに貢献し、操作回数を低減することに貢献する。
【００９９】
［第２の実施形態］
次に、第２の実施形態について、図面を用いて詳細に説明する。
【０１００】
本実施形態は、所定の音声を検出した場合、撮影を実行する形態である。なお、本実施形態における説明では、第１の実施形態と重複する部分の説明は省略する。さらに、本実施形態における説明では、第１の実施形態と同一の構成要素には、同一の符号を付し、その説明を省略する。
【０１０１】
図１１は、本実施形態に係る電子機器１ａの内部構成の一例を示すブロック図である。図３に示す電子機器１と、図１１に示す電子１ａとの相違点は、電子機器１ａは、マイク８と、音声識別部７４と、を備える点である。なお、図１１は、本実施形態に係る電子機器１ａに関係するモジュールを主に記載する。
【０１０２】
電子機器１は、マイク８から外部の音声信号を入力する。
【０１０３】
音声識別部７４は、マイク８に対して入力された音声信号から、所定の教師情報を検出する。ここで、教師情報とは、音声識別において、教師データとする情報を意味する。
【０１０４】
具体的には、音声識別部７４は、マイク８を介して、音声識別の対象とする音声（以下、識別対象音声と呼ぶ）を取得する。そして、音声識別部７４は、識別対象音声が、予め設定された教師情報を含むか否かを、判断する。
【０１０５】
より具体的には、音声識別部７４は、教師情報を取得する。そして、音声識別部７４は、教師情報を記憶する。ここで、音声教師データは、マイク８を介して入力された音声であっても良い。音声教師データが、マイク８を介して入力された音声である場合、電子機器１は、ユーザにマイク８を介して、音声を入力するように指示しても良い。
【０１０６】
または、教師情報は、所定の単語であっても良い。その場合、音声識別部７４は、操作部３に対するユーザの操作に基づいて、教師情報とする単語を取得しても良い。
【０１０７】
そして、音声識別部７４は、識別対象音声を取得した場合、教師情報と、識別対象音声と、を照合する。例えば、音声識別部７４は、隠れマルコフモデルを用いる手法を適用して、教師情報と、識別対象音声と、を照合しても良い。なお、音声を分析する手法は各種あるが、その詳細は問わない。
【０１０８】
そして、音声識別部７４が所定の教師情報を検出した場合、撮影部４は撮影を実行する。
【０１０９】
次に、本実施形態に係る電子機器１ａの動作について説明する。
【０１１０】
図１２は、本実施形態に係る電子機器１ａの動作の一例を示すフローチャートである。
【０１１１】
ここで、電子機器１ａが持ち上げられたことを、運動検出部６が検出した（ステップＳ１のＹｅｓ分岐）とする。その場合、ステップＳ６０１において、識別対象音声を取得したか否かを、音声識別部７４は判断する。つまり、ユーザがマイク８に対して音声を入力したか否かを、音声識別部７４は判断する。音声識別部７４が識別対象音声を取得した場合（ステップＳ６０１のＹｅｓ分岐）には、ステップＳ６０２に遷移する。音声識別部７４が識別対象音声を取得していない場合（ステップＳ６０１のＮｏ分岐）には、ステップＳ６０１の判断を繰り返す。
【０１１２】
ステップＳ６０２において、識別対象音声と、教師情報と、の類似度が所定の閾値を超えているか否かを、音声識別部７４は判断する。識別対象音声と教師情報と、の類似度が所定の閾値を超えている場合（ステップＳ６０２のＹｅｓ分岐）には、制御部７は、撮影部４を起動する（図４に示すステップＳ２）。一方、識別対象音声と教師情報と、の類似度が所定の閾値を超えていない場合（ステップＳ６０２のＮｏ分岐）には、図４に示すステップＳ１に戻り、処理を継続する。
【０１１３】
例えば、対象年齢人物を乳幼児とする場合を考える。その場合、まず、電子機器１ａの所有者（乳幼児の保護者等）は、表示部２を乳幼児に対して提示する。そして、電子機器１ａの所有者は、予め登録した言葉（教師情報）を発声する。ここで、教師情報は、人名を含んでいても良い。なぜなら、乳幼児をあやす場合、乳幼児の名前を呼びかけながら、あやす場合が多いからである。そこで、電子機器１ａの所有者が乳幼児に表示部２を提示し、乳幼児の名前を呼びかけた場合、電子機器１ａは動作モードを登録処理モード（乳幼児モード）に遷移しても良い。
【０１１４】
以上のように、本実施形態に係る電子機器１ａは、所定の音声を検出した場合、撮影を実行し、撮影画像を解析する。そして、本実施形態に係る電子機器１ａは、撮影画像の解析結果に基づいて、動作モードを登録処理モードに遷移する。そのため、本実施形態に係る電子機器１ａは、ユーザが希望するタイミングで、特別な操作を必要とせず、予め登録された処理を実行することに貢献する。
【０１１５】
上記の実施形態の一部又は全部は、以下の付記のようにも記載され得るが、以下には限られない。
【０１１６】
（付記１）上記第１の視点に係る電子機器の通りである。
【０１１７】
（付記２）ユーザの操作を受け付ける操作部を備え、前記処理制御部は、前記動作モードが前記登録処理モードである場合、前記操作部に対する操作を制限する付記１に記載の電子機器。
【０１１８】
（付記３）乳幼児の顔画像特徴量を乳幼児画像特徴量として記憶する記憶部を備え、前記画像解析部は、前記乳幼児画像特徴量に基づいて、前記撮影画像内に、少なくとも一の乳幼児が含まれるか否かを判断する付記１又は２に記載の電子機器。
【０１１９】
（付記４）自機器の運動を検出する運動検出部を備え、前記撮影部は、前記運動検出部が所定の運動を検出した場合、撮影を実行する付記１乃至３のいずれか一に記載の電子機器。
【０１２０】
（付記５）前記撮影部は、前記処理制御部が、前記操作部に対する操作を無効とする動作モードから、前記操作部に対する操作を有効とする動作モードに遷移させた場合、撮影を実行する付記１乃至４のいずれか一に記載の電子機器。
【０１２１】
（付記６）マイクと、前記マイクに対して入力された音声信号から、所定の指定単語を検出する音声識別部と、を備え、前記撮影部は、前記音声識別部が前記指定単語を検出した場合、撮影を実行する付記１乃至５のいずれか一に記載の電子機器。
【０１２２】
（付記７）上記第２の視点に係る電子機器の制御方法の通りである。
【０１２３】
（付記８）乳幼児の顔画像特徴量を乳幼児画像特徴量として記憶する工程を含み、前記画像解析工程において、前記乳幼児画像特徴量に基づいて、前記撮影画像内に、少なくとも一の乳幼児が含まれるか否かを判断する付記７に記載の電子機器の制御方法。
【０１２４】
（付記９）自機器の運動を検出する工程を含み、前記撮影工程において、所定の運動が検出された場合、撮影を実行する付記７又は８に記載の電子機器の制御方法。
【０１２５】
（付記１０）音声信号から所定の指定単語を検出する工程を含み、前記撮影工程において、前記指定単語が検出された場合、撮影を実行する付記７乃至９のいずれか一に記載の電子機器の制御方法。
【０１２６】
（付記１１）上記第３の視点に係るプログラムの通りである。
【０１２７】
（付記１２）乳幼児の顔画像特徴量を乳幼児画像特徴量として記憶する処理を実行し、前記画像解析処理において、前記乳幼児画像特徴量に基づいて、前記撮影画像内に、少なくとも一の乳幼児が含まれるか否かを判断する付記１１に記載のプログラム。
【０１２８】
（付記１３）自機器の運動を検出する処理を実行し、前記撮影処理において、所定の運動が検出された場合、撮影を実行する付記１１又は１２に記載のプログラム。
【０１２９】
（付記１４）音声信号から所定の指定単語を検出する処理を実行し、前記撮影処理において、前記指定単語が検出された場合、撮影を実行する付記１１乃至１３のいずれか一に記載のプログラム。
【０１３０】
なお、引用した上記の特許文献の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１３１】
１、１ａ、１００  電子機器
２、１０１  表示部
３  操作部
４、１０３  撮影部
５  記憶部
６  運動検出部
７  制御部
８  マイク
７１、１０４  画像解析部
７２、１０２  処理登録部
７３、１０５  処理制御部
７４  音声識別部
【図１】
2014206837.tif 000003
【図２】
2014206837.tif 000004
【図３】
2014206837.tif 000005
【図４】
2014206837.tif 000006
【図５】
2014206837.tif 000007
【図６】
2014206837.tif 000008
【図７】
2014206837.tif 000009
【図８】
2014206837.tif 000010
【図９】
2014206837.tif 000011
【図１０】
2014206837.tif 000012
【図１１】
2014206837.tif 000013
【図１２】
2014206837.tif 000014